(57)【要約】      （修正有）【課題】ズボン等を汚したり、排尿の度に交換することなく使用でき、簡単、迅速に排尿できるようにした男性用紙おむつを提供する。【解決手段】パンツ型に形成している使い捨ておむつ１と、この使い捨ておむつ１の内側に股１ａを介して前後方向に延ばして着脱自在に装着する幅広帯状の使い捨て吸水シート２とで形成する。使い捨ておむつ１の身幅の中央より正面から見て右寄りの位置に、前あき５を縦向きに形成する。この前あき５を介して使い捨て吸水シート２の前あき対応位置の角片２ａを引き出し、排尿しやすくする。【選択図】図１
0003187768.tif 000002
【実用新案登録請求の範囲】
【請求項１】
パンツ型に形成されている使い捨ておむつと、この使い捨ておむつの内側に股を介して前後方向に延ばされて着脱自在に装着される幅広帯状の使い捨て吸水シートとで形成され、上記の使い捨ておむつの身幅の中央より正面から見て右寄りの位置に、男性器を出すための前あきが縦向きに形成され、この前あきを介して上記の使い捨て吸水シートの前あき対応位置の角片が引き出されて露出されていることを特徴とする男性用紙おむつ。
【請求項２】
請求項１記載の男性用紙おむつであって、使い捨て吸水シートが、使い捨ておむつの前側の内側で、使い捨ておむつを正面から見て前あきに隣接する左側位置に、使い捨ておむつに貼り付けるための粘着部を備えて着脱可能に形成されていることを特徴とする男性用紙おむつ。
【考案の詳細な説明】
【技術分野】
【０００１】
本考案は、男性用紙おむつに関し、更に詳しくは、男性の急な小用の際に、ズボン等を汚すことなく、素早く排尿できるよう形成した男性用紙おむつに関するものである。
【背景技術】
【０００２】
従来、この種の製品としては、例えば特許文献１、２に記載されているものが知られている。
特許文献１の従来品は、紙おむつの中に装着して使用する男性用の尿とリパッドである。この従来品は、男性器を挿入して納めるための包容部を備え、使用者はこの包容部に排尿した後、パッドを紙おむつ又は下着から取り外して廃棄するものである。
【０００３】
従って、これによると、排尿の度に、パッドを新品と取り替えなければならない、という煩わしさがあり、また尿漏れして下着やズボンを汚すおそれがあった。
またこの従来品によると、使用個数が多くなるのを避けられず、不経済であった。
【０００４】
また特許文献２の従来品は、おむつの前身頃に、開口部が横線状に形成されているのに過ぎなかった。
従って、この従来品の場合は、開口部を素早く開いて男性器を出し、排尿することができにくい、という問題があった。そのため、この従来品を使用すると、失禁してズボン等を汚し易く、またおむつの交換頻度が高くなるのを避けられなかった。
【先行技術文献】
【特許文献】
【０００５】
【特許文献１】特開２００４−２４７９０号公報
【特許文献２】特開２０１２−２０１８４号公報
【考案の概要】
【考案が解決しようとする課題】
【０００６】
本考案は、このような従来品の問題点に鑑み、提案されたものである。
従って本考案の解決しようとする技術的課題は、ズボン等を汚したり、排尿の度に交換することなく使用でき、簡単、迅速に男性器を出して排尿できるよう形成した男性用紙おむつを提供することにある。
【課題を解決するための手段】
【０００７】
本考案は、上記の課題を解決するため、次のような技術的手段を採る。
即ち、本考案は、図１等に示されるように、パンツ型に形成されている使い捨ておむつ１と、この使い捨ておむつ１の内側に股１ａを介して前後方向に延ばされて着脱自在に装着される幅広帯状の使い捨て吸水シート２とで形成され、上記の使い捨ておむつ１の身幅４の中央より正面から見て右寄りの位置に、男性器を出すための前あき５が縦向きに形成され、この前あき５を介して上記の使い捨て吸水シート２の前あき対応位置の角片２ａが引き出されて露出されていることを特徴とする（請求項１）。
【０００８】
本発明の場合、前あき５の長さは、男性器を出し易い長さであれば良く、また縦向きであれば、垂直には限定されず、多少傾いて形成されているのでも良い。また角片２ａは、摘まんで引っ張ることができる大きさであれば良く、その露出面積は任意である。
【０００９】
而して、本考案は、使い捨て吸水シート２が、使い捨ておむつ１の前側の内側で、使い捨ておむつ１を正面から見て前あき５に隣接する左側位置に、使い捨ておむつ１に貼り付けるための粘着部６を備えて着脱可能に形成されているのが好ましい（請求項２）。
【００１０】
なぜならこれによると、使い捨て吸水シート２のずれを防止でき、また前あき５から引き出されている使い捨て吸水シート２の角片２ａが中に引き込まれることを防止できるからである。
【考案の効果】
【００１１】
本考案は、このようにパンツ型に形成されている使い捨ておむつと、この使い捨ておむつの内側に股を介して前後方向に延ばされて着脱自在に装着される幅広帯状の使い捨て吸水シートとで形成され、上記の使い捨ておむつの身幅の中央より正面から見て右寄りの位置に、男性器を出すための前あきが縦向きに形成され、この前あきを介して上記の使い捨て吸水シートの前あき対応位置の角片が引き出されて露出されている。
【００１２】
従って、本考案の場合は、角片を利用して前あきの口を、簡単、迅速に拡げ、男性器を出して排尿できる。
それ故、本考案によれば、ズボン等を尿で汚すことを防止でき、排尿の度におむつを交換する必要がなく、おむつの使用個数を抑えることができる。
また本考案によれば、仮に失禁しても、使い捨ておむつと使い捨て吸水シートによって尿漏れを確実に防止できる。
【図面の簡単な説明】
【００１３】
【図１】本考案の紙おむつの斜視図である。
【図２】使い捨て吸水シートの装着状態を示す分解正面図である。
【図３】図２のＩＩＩ−ＩＩＩ線における断面図である。
【図４】使い捨て吸水シートの装着状態を示す分解斜視図である。
【図５】同上紙おむつの正面図である。
【図６】図５のＶＩ−ＶＩ線における断面図である。
【図７】同上紙おむつの使用時の正面図である。
【図８】図７のＶＩＩＩ−ＶＩＩＩ線における使用時の断面図である。
【図９】同上紙おむつの使用時の斜視図である。
【図１０】同上紙おむつの使用時の一部を切欠した正面図である。
【考案を実施するための形態】
【００１４】
以下、本考案を実施するための好適な一実施形態を、添付図面に従って説明する。
本考案は、図１等に示されるように、パンツ型に形成されている使い捨ておむつ１と、この使い捨ておむつ１の内側に股１ａを介して前後方向に延ばされて着脱自在に装着される幅広帯状の使い捨て吸水シート２とを備えて形成されている。
【００１５】
上記の使い捨ておむつ１は、ウエスト部１ｂの周りと脚の挿入口部１ｃの周りにゴム糸３が綴じ付けられ、これらの箇所が伸縮状に形成されている。また使い捨ておむつ１は、股１ａを介して前後方向にわたって吸水性樹脂材１ｄ（図３等参照）を備えて形成されている。
【００１６】
また使い捨ておむつ１は、図２等に示されるように、身幅４（この実施形態では２９０ｍｍ）の中央より正面から見て右寄りの位置（この実施形態では中央より３０ｍｍ右寄りの位置）に、男性器を出すための前あき５が縦向きに形成されている。この前あき５は、この実施形態の場合、垂直に約１４０ｍｍの長さにわたって切断され、ほつれが生じないよう切断ラインの両側と上下端がミシンで処理されている。なお、前あき５の下端は、男性器を取り出し易くなるよう、この実施形態では股１ａの位置から約９０ｍｍの高さに選定されている。
【００１７】
そして本考案品は、前あき５を介して上記の使い捨て吸水シート２の前あき対応位置の角片２ａが引き出されて露出されている。使い捨て吸水シート２は、この実施形態では幅が１４５ｍｍ、長さが４００ｍｍに選定され、図２等に示されるように、長手方向の両側がギャザー２ｂに形成され、吸水性樹脂材２ｃ（図６等参照）を備えて扁平状に形成されている。なお、この実施形態の場合、角片２ａは、図５において、上側の右下がりの傾斜辺２ａ１の長さが８０ｍｍ程度、露出するよう引き出されている。
【００１８】
また使い捨て吸水シート２は、図１、図２等に示されるように、前側と後側の端部と、使い捨ておむつ１の前側の内側で、使い捨ておむつ１を正面から見て前あき５に隣接する左側位置に、使い捨ておむつ１に貼り付けるための粘着部６を備えて着脱可能に形成されている。使い捨て吸水シート２は、これらの粘着部６により、ずれが防止されるものである。またこの場合、前あき５に隣接する左側位置の粘着部６により、角片２ａの引き込みが防止される。粘着部６は、この実施形態では両面テープで形成されている。
【００１９】
次に、この実施形態の本考案品の使用例を説明する。
先ず、使用者は、図７に示されるように、通常のパンツの代わりに穿く。
【００２０】
そして、小用の際は、ズボンのチャックを降ろし、次に使用者は、前あき５から引き出されている角片２ａを摘み（図８参照）、使用者から見て右側に引っ張り、前あき５の口を拡げて男性器を出し、排尿する。
【００２１】
而して、排尿後は、通常のパンツと同様、使い捨ておむつ１の中に男性器を納め、ズボンのチャックを引き上げれば良い。本考案品は、このように小用の際、角片２ａを引っ張って前あき５を拡げ、前あき５から男性器を出して素早く排尿できる。
【００２２】
従って、これによると、ズボン等を尿で汚すことなく簡単、迅速に排尿でき、おむつ１の交換頻度を低減できる。また仮に失禁しても、本考案によれば、使い捨て吸水シート２と使い捨ておむつ１で尿漏れを確実に防止できる。
【００２３】
なお、使用者は、本考案品の上に、すててこ等の下穿き７（図１０参照）を穿いてから、ズボンを穿くのでも良い。この場合、すててこ等の下穿き７は、前あき７ａが、本考案品の前あき５と同様、下穿き７を正面から見て右寄りの位置に形成されているのが良い。またこの場合、小用の際に直ぐに男性器を出して排尿できるよう、本考案品の角片２ａを下穿き７の前あき７ａから外側に引き出しておくのが良い。
【符号の説明】
【００２４】
１      使い捨ておむつ
１ａ    股
２      使い捨て吸水シート
２ａ    角片
４      身幅
５      前あき
【図１】
0003187768.tif 000003
【図２】
0003187768.tif 000004
【図３】
0003187768.tif 000005
【図４】
0003187768.tif 000006
【図５】
0003187768.tif 000007
【図６】
0003187768.tif 000008
【図７】
0003187768.tif 000009
【図８】
0003187768.tif 000010
【図９】
0003187768.tif 000011
【図１０】
0003187768.tif 000012